(57)【特許請求の範囲】
【請求項１】
洗浄液として次亜塩素酸ナトリウムを含む水を用いる循環式散水方式若しくは一過式散水方式の脱臭塔において、下記化学式（１）で示される化合物を散水中に添加することでスケール原因物質の充填材への付着を防止することを特徴とするスケール付着防止方法。
【化１】
0004001442.tif 000006
【請求項２】
前記化学式（１）で示される化合物の散水中への添加量が５〜５００ｍｇ／リットルであることを特徴とする請求項１記載のスケール付着防止方法。
【請求項３】
ポリアクリル酸およびその共重合物、並びにポリマレイン酸およびその共重合物、の少なくとも一つを併せて添加することを特徴とする請求項１または２記載のスケール付着防止方法。
【請求項４】
臭気ガス流入口と脱臭ガス流出口とを具備する脱臭装置の内部に、臭気ガスを脱臭するための充填層と、該充填層の上部に散水するための散水装置と、該充填層の下部に貯水部とを備えた脱臭装置において、前記散水装置に次亜塩素酸ナトリウムを含有する洗浄液の通水手段及び下記化学式（１）で示される化合物を散水中に添加する手段を有することを特徴とするスケール付着の防止された脱臭装置。
【化２】
0004001442.tif 000007
【発明の詳細な説明】
【０００１】
【発明の属する技術分野】
本発明は、スケール防止剤、スケール付着防止方法およびスケール付着の防止された脱臭装置に関し、特に、イオウ系臭気成分などの臭気成分を含んだ臭気ガスを対象とした脱臭塔に用いるスケール防止剤、スケール付着防止方法およびスケール付着の防止された脱臭装置に関する。
【０００２】
【従来の技術】
脱臭塔として、たとえば図３に示すような循環式散水方式のものがある。
この脱臭塔は、臭気ガス流入口１と脱臭ガス流出口２とを形成した脱臭塔３内の上部に、脱臭効率を高めるための充填層４と、充填層４に向けて散水する散水装置５とを備え、下部に貯水部６を備えており、脱臭塔３の外部に、貯水部６内の循環水を散水装置５に循環供給する循環ポンプ７を備えている。
【０００３】
このような脱臭塔において、屎尿処理場で発生した硫化水素等のイオウ系臭気成分を含んだ臭気ガスを脱臭処理する場合には、臭気ガスを塔内に導入して充填層４を通過させ、散水装置５によって噴霧された次亜塩素酸ナトリウムを含む循環水と接触することによって臭気ガス中に含まれるイオウ系臭気成分を分解している。
【０００４】
散水を行うに際しては、図３に示したように、貯水部６内の循環水に水酸化ナトリウムなどのアルカリ剤を併せて添加し、散水する循環水をアルカリ性に維持するとともに、貯水部６に補給水を供給して、塩濃度を一定値よりも低く維持し、臭気成分の分解によって発生するイオウやイオウ化合物のスケール付着を防止するようにしている。
また、カルシウムスケールの付着を防止するため、ポリアクリル酸やポリマレイン酸を循環水に添加することもある。（図示せず）
このような脱臭塔において、スケールが多量に付着すると、圧力損失の増加を招き、やがては運転不能に陥ることとなる。
【０００５】
【発明が解決しようとする課題】
しかしながら、このような設備では循環水のｐＨが高いため、スケール防止剤として一般に用いられるポリアクリル酸やポリマレイン酸を添加しても十分な効果が得られず、定期的な洗浄作業が必要であった。
更に、これら従来のスケール防止剤は、次亜塩素酸によって酸化分解を受けたり、イオウ等によって吸着されることがあり、短期的な効果を得る場合でも高い添加量が必要であった。
【０００６】
本発明は上記問題を解決するもので、循環式散水方式若しくは一過式散水方式の脱臭塔において、次亜塩素酸ナトリウムを用いる場合に問題となる、スケール原因物質（例えば、イオウ、硫黄化合物およびカルシウム化合物）の充填材への付着を防止するスケール防止剤、スケール付着防止方法およびスケール付着の防止された脱臭装置を提供することを目的とするものである。
【０００７】
【課題を解決するための手段】
上記問題は、以下のスケール防止剤、スケール付着防止方法およびスケール付着の防止された脱臭装置により解決された。すなわち、本発明は、
【０００９】
「１．  洗浄液として次亜塩素酸ナトリウムを用いる循環式散水方式若しくは一過式散水方式の脱臭塔において、下記化学式（１）で示される化合物を散水中に添加することでスケール原因物質の充填材への付着を防止することを特徴とするスケール付着防止方法、
【００１０】
【化３】
0004001442.tif 000002
【００１１】
２．  前記化学式（１）で示される化合物の散水中への添加量が５〜５００mg／リットルであることを特徴とする前項１記載のスケール付着防止方法、
３．  ポリアクリル酸およびその共重合物、並びにポリマレイン酸およびその共重合物、の少なくとも一つを併せて添加することを特徴とする前項１または２記載のスケール付着防止方法、
４． 臭気ガス流入口と脱臭ガス流出口とを具備する脱臭装置の内部に、臭気ガスを脱臭するための充填層と、該充填層の上部に散水するための散水装置と、該充填層の下部に貯水部とを備えた脱臭装置において、前記散水装置に次亜塩素酸ナトリウムを含有する洗浄液の通水手段及び下記化学式（１）で示される化合物を散水中に添加する手段を有することを特徴とするスケール付着の防止された脱臭装置。」
である。
【００１２】
【化４】
0004001442.tif 000003
【００１３】
【発明の実施の形態】
以下、本発明の実施の形態を説明するが、本発明はこれに限定されない。
本発明は、循環式散水方式若しくは一過式散水方式の脱臭塔において、次亜塩素酸ナトリウムを用いる場合に問題となる、スケール原因物質（例えば、イオウ、硫黄化合物およびカルシウム化合物）の充填材への付着を防止する方法に関する。
【００１４】
本発明におけるスケール付着防止方法では、化学式（１）で示される化合物を散水中に５〜５００mg／リットルとなるように添加することが好ましい。それにより、イオウ、硫黄化合物およびカルシウム化合物が充填材に付着することを効果的に防止することができる。
また、化学式（１）で示される化合物の添加とともに、ポリアクリル酸およびその共重合物、ポリマレイン酸およびその共重合物、の少なくとも一つを１〜３００mg／リットル散水中に併せて添加することが好ましい。
【００１５】
化学式（１）で示される化合物の具体例としては、ビス（ポリ−２−カルボキシエチル）ホスフィン酸を挙げることができる。この化合物の添加量が、５mg／リットル未満の場合にはスケール付着防止効果が不十分となり、５００mg／リットルを超えるとこの化合物自体の分解生成物がスケールの原因となるので好ましくない。最も好ましい添加量は、１０〜２００mg／リットルの範囲である。
化学式（１）で示される化合物とともに、ポリアクリル酸およびその共重合物、並びにポリマレイン酸およびその共重合物の内、少なくとも一つを１〜３００mg／リットル併せて添加すると、スケール付着防止効果を顕著に高めることができ、好ましい。しかし、１mg／リットル未満では十分な併用効果が得られず、３００mg／リットルを超えるとゲル化が生じるので好ましくない。最も好ましい添加量は、５〜１５０mg／リットルの範囲である。
【００１６】
【実施例】
以下に本発明の実施例を示す。
実施例１
図１に示す循環式散水方式の脱臭塔において、硫化水素等のイオウ系臭気成分を高濃度に含んだ臭気ガスを塔内に導入して充填層を通過させ、散水装置によって噴霧された次亜塩素酸ナトリウムを含む水と接触することによって臭気成分を分解している脱臭塔の循環水に、ビス（ポリ−２−カルボキシエチル）ホスフィン酸を添加し、充填材付着物の経時変化を観察した。
結果は表−１に示すとおりである。
【００１７】
【表１】
0004001442.tif 000004
【００１８】
表−１に示すとおり、化学式（１）で示される化合物を散水中に５〜５００mg／リットル添加することにより、スケール付着を効果的に防止することができる。
【００１９】
実施例２
同条件の脱臭塔循環水に、ビス（ポリ−２−カルボキシエチル）ホスフィン酸とポリアクリル酸を添加し、充填材付着物の経時変化を観察した。（図２参照）
結果は表−２に示すとおりである。
【００２０】
【表２】
0004001442.tif 000005
【００２１】
表−２に示すとおり、化学式（１）で示される化合物の添加とともに、ポリアクリル酸およびその共重合物、若しくはポリマレイン酸およびその共重合物を１〜３００mg／リットル散水中に併せて添加することにより、スケール付着を顕著に防止することができる。
【００２２】
【発明の効果】
以上のように、洗浄液として次亜塩素酸ナトリウムを用いる循環式散水方式若しくは一過式散水方式の脱臭塔において、前記化学式（１）で示される化合物を散水中に添加することで、スケール原因物質（イオウ、硫黄化合物およびカルシウム化合物）が充填材に付着することを防止し、充填層の圧損上昇を防止して、安定した脱臭運転を達成できる。
【図面の簡単な説明】
【図１】本発明の実施例１で用いた循環式散水方式の脱臭塔を説明する概略説明図である。
【図２】本発明の実施例２で用いた循環式散水方式の脱臭塔を説明する概略説明図である。
【図３】従来の循環式散水方式の脱臭塔を説明する概略説明図である。
【符号の説明】
１：  臭気ガス流入口
２：  脱臭ガス流出口
３：  脱臭塔
４：  充填層
５：  散水装置
６：  貯水部
７：  循環ポンプ
【図１】
0004001442.tif 000008
【図２】
0004001442.tif 000009
【図３】
0004001442.tif 000010